(57)【特許請求の範囲】
【請求項１】
供給された上水を加熱して出湯する給湯回路に接続されて、前記給湯回路から流れる前記上水を浴槽に注湯する注湯回路と、
熱交換器が設置され、熱媒を循環させて、前記熱交換器で前記給湯回路を流れる前記上水に熱交換する循環路と、
この循環路に循環させる前記熱媒を溜める貯留手段と、
前記注湯回路から分岐されて前記循環路に接続され、前記給湯回路から前記注湯回路に供給される前記上水を、その上水圧によって前記循環路に流して、前記循環路から前記貯留手段に補水する補水回路と、
を備えることを特徴とする熱源装置。
【請求項２】
更に、前記補水回路に補水側と前記熱媒とを分離する分離手段と、
を備えることを特徴とする請求項１に記載の熱源装置。
【請求項３】
更に、前記補水回路と浴槽水追焚回路とを分離し、前記補水回路で前記貯留手段に補水する際、前記浴槽水追焚回路を遮断する切替弁と、
を備えること特徴とする請求項１に記載の熱源装置。
【請求項４】
前記補水回路から補水する際、前記注湯回路から前記浴槽水追焚回路に流水の有無を検出する検出手段と、
を備えることを特徴とする請求項３に記載の熱源装置。
【請求項５】
供給された上水を加熱して出湯する給湯回路に接続されて、前記給湯回路から流れる前記上水を浴槽に注湯する注湯回路と、
熱交換器が設置されるとともに、放熱負荷が設置された暖房回路が分岐され、熱媒を循環させることにより、前記熱交換器で前記給湯回路を流れる前記上水に熱交換し、前記放熱負荷に前記熱媒を流す循環路と、
この循環路に循環させる前記熱媒を溜める貯留手段と、
前記循環路に接続されて前記熱媒の循環により放熱させるための放熱負荷と、
前記注湯回路から分岐されて前記循環路に接続され、前記給湯回路から前記注湯回路に供給される前記上水を、その上水圧によって前記循環路に流して、前記循環路から前記貯留手段に補水する補水回路と、
を備えることを特徴とする暖房装置。
【請求項６】
熱媒を溜める貯留手段を備える熱源装置又は暖房装置の水張り制御方法であって、
供給された上水を加熱して出湯する給湯回路に接続された注湯回路から分岐され、前記給湯回路を流れる前記上水に熱交換する熱交換器が設置されるとともに放熱負荷が設置された暖房回路が分岐されて熱媒を循環させる循環路に接続された補水回路を用いて、前記給湯回路から前記注湯回路に供給される前記上水を、その上水圧によって、前記注湯回路、前記補水回路及び前記循環路を経て前記貯留手段に補水する工程を含むことを特徴とする水張り制御方法。
【請求項７】
更に、前記補水回路から前記貯留手段に補水する際、前記補水回路に接続された追焚回路にある切替弁を切替え、前記補水回路を前記追焚回路から分離する工程と、
を含むことを特徴とする請求項６に記載の水張り制御方法。
【発明の詳細な説明】
【技術分野】
【０００１】
本発明は、例えば、太陽熱を熱源に利用する熱源装置、暖房装置及び水張り制御方法に関する。
【背景技術】
【０００２】
室内暖房等の各種暖房に用いられる熱源装置には燃料ガスや灯油等の燃焼熱に加え、熱源に太陽熱が利用される。熱源装置に太陽熱を用いることは自然エネルギを利用するので、熱エネルギの効率的な利用が図られ、炭酸ガスの排出がない等、有益である。このような熱源装置は、高温水分配式給湯暖房機として知られている。
【０００３】
この種の熱源装置に関し、太陽熱給湯暖房装置として上水が供給される貯湯槽に第１及び第２の熱交換器が設置され、第１の熱交換器に太陽熱集熱器で集熱した熱媒を循環させて熱交換し、第２の熱交換器にボイラで加熱した温水の熱を熱交換することが知られている（特許文献１）。この太陽熱給湯暖房装置では、貯湯槽内の上水の加熱に太陽熱が利用され、加熱した上水が温水として供給される。また、ボイラで加熱した温水は暖房や浴槽追焚きに利用される。
【０００４】
また、燃焼排気を熱源に用いる熱源装置では、熱媒の熱を第１の熱交換手段により給水又は浴槽水に熱交換し、燃焼排気の潜熱を第２の熱交換手段により給水又は浴槽水に熱交換する熱源装置や、熱交換装置が知られている（特許文献２）。
【先行技術文献】
【特許文献】
【０００５】
【特許文献１】特開昭５９−１３４４３２号公報
【特許文献２】特開２００７−３１５７００号公報
【発明の概要】
【発明が解決しようとする課題】
【０００６】
ところで、太陽熱を熱源に利用する熱源装置や暖房装置を構成するシステムでは、太陽熱を熱交換した熱媒を貯留するタンクを設置して熱媒を蓄積し、その熱を適宜に使用する。この熱媒の利用形態には給湯加熱、暖房負荷の放熱、浴槽水の追焚き等である。
【０００７】
また、熱媒には例えば、上水が使用されるが、斯かるシステムには、タンクに熱媒となる給水が不可欠である。タンクの容量は蓄熱量や貯湯量等からすれば、大きく設定することが有効である。
【０００８】
タンクへの給水時間はタンク容量や給水量に依存し、必要量を満たすには９０分程度の長時間を要する。水張り中、作業者は待機を余儀なくされ、必要な動作確認への移行もできない。このため、水張りに要する時間は無駄時間となり、この時間が工事費に影響することになり、施工効率を低下させている。工事費がかかれば、販売促進を低下させる原因にもなる。
【０００９】
そこで、本発明の目的は、上記課題に鑑み、水張りを高速化し、施工の容易化、迅速化を図ることにある。
【課題を解決するための手段】
【００１０】
上記課題を解決するため、本発明の熱源装置は、供給された上水を加熱して出湯する給湯回路に接続されて、前記給湯回路から流れる前記上水を浴槽に注湯する注湯回路と、熱交換器が設置され、熱媒を循環させて、前記熱交換器で前記給湯回路を流れる前記上水に熱交換する循環路と、この循環路に循環させる前記熱媒を溜める貯留手段と、前記注湯回路から分岐されて前記循環路に接続され、前記給湯回路から前記注湯回路に供給される前記上水を、その上水圧によって前記循環路に流して、前記循環路から前記貯留手段に補水する補水回路とを備えている。
【００１１】
上記課題を解決するためには、本発明の熱源装置において、好ましくは、更に、前記補水回路に補水側と前記熱媒とを分離する分離手段とを備えてもよい。
【００１２】
上記課題を解決するためには、本発明の熱源装置において、好ましくは、更に、前記補水回路と浴槽水追焚回路とを分離し、前記補水回路で前記貯留手段に補水する際、前記浴槽水追焚回路を遮断する切替弁とを備えてもよい。
【００１３】
上記課題を解決するためには、本発明の熱源装置において、好ましくは、前記補水回路から補水する際、前記注湯回路から前記浴槽水追焚回路に流水の有無を検出する検出手段とを備えてもよい。
【００１４】
上記課題を解決するため、本発明の暖房装置は、供給された上水を加熱して出湯する給湯回路に接続されて、前記給湯回路から流れる前記上水を浴槽に注湯する注湯回路と、熱交換器が設置されるとともに、放熱負荷が設置された暖房回路が分岐され、熱媒を循環させることにより、前記熱交換器で前記給湯回路を流れる前記上水に熱交換し、前記放熱負荷に前記熱媒を流す循環路と、この循環路に循環させる前記熱媒を溜める貯留手段と、前記循環路に接続されて前記熱媒の循環により放熱させるための放熱負荷と、前記注湯回路から分岐されて前記循環路に接続され、前記給湯回路から前記注湯回路に供給される前記上水を、その上水圧によって前記循環路に流して、前記循環路から前記貯留手段に補水する補水回路とを備えている。
【００１５】
上記課題を解決するため、本発明の水張り制御方法は、熱媒を溜める貯留手段を備える熱源装置又は暖房装置の水張り制御方法であって、供給された上水を加熱して出湯する給湯回路に接続された注湯回路から分岐され、前記給湯回路を流れる前記上水に熱交換する熱交換器が設置されるとともに放熱負荷が設置された暖房回路が分岐されて熱媒を循環させる循環路に接続された補水回路を用いて、前記給湯回路から前記注湯回路に供給される前記上水を、その上水圧によって、前記注湯回路、前記補水回路及び前記循環路を経て前記貯留手段に補水する工程を含んでいる。
【００１６】
上記課題を解決するためには、本発明の水張り制御方法において、好ましくは、更に、前記補水回路から前記貯留手段に補水する際、前記補水回路に接続された追焚回路にある切替弁を切替え、前記補水回路を前記追焚回路から分離する工程とを含んでもよい。
【発明の効果】
【００１７】
以上説明した本発明の熱源装置、暖房装置又は水張り制御方法によれば、次の効果を得ることができる。
【００１８】
(1) 貯留手段に対する水張りを高速化することができる。
【００１９】
(2) 貯留手段に対する水張りの高速化により、施工の容易化及び迅速化を図ることができる。
【００２０】
(3) 施工コストを低減することができる。
【００２１】
そして、本発明の他の目的、特徴及び利点は、添付図面及び各実施の形態を参照することにより、一層明確になるであろう。
【図面の簡単な説明】
【００２２】
【図１】第１の実施の形態に係る暖房・給湯・追焚装置の一例を示す図である。
【図２】集熱部、水位検出部、貯湯タンク及び補水回路の一例を示す図である。
【図３】水位確認タンク及び水位検出の一例を示す図である。
【図４】制御装置及びリモコン装置の一例を示す図である。
【図５】水張り動作の処理手順の一例を示すフローチャートである。
【図６】水張り動作の処理手順の一例を示すフローチャートである。
【図７】水張り動作の処理手順の一例を示すフローチャートである。
【図８】水張り動作の処理手順の一例を示すフローチャートである。
【図９】水張り動作の処理手順の一例を示すフローチャートである。
【図１０】水張り動作の一例を示す図である。
【図１１】ポンプ動作タイミングの一例を示すフローチャートである。
【図１２】第２の実施の形態に係る暖房・給湯・追焚装置の一例を示す図である。
【図１３】第２の実施の形態に係る水張り動作の一例を示す図である。
【発明を実施するための形態】
【００２３】
〔第１の実施の形態〕
【００２４】
第１の実施の形態は、浴槽に注湯する注湯回路から分岐した補水回路を熱媒の循環路に接続し、この補水回路を用いることにより、注湯回路に供給される水を循環路から貯留手段に給水（補水）する構成である。
【００２５】
この第１の実施の形態について、図１を参照する。図１は暖房・給湯・追焚装置の一例を示している。
【００２６】
この暖房・給湯・追焚装置２は、本発明の熱源装置又は暖房装置の一例であって、施工時や緊急時には、上水Ｗを注湯回路７６から分岐された補水回路７９を通し、貯湯タンク４の入側の循環路８を通して貯湯タンク４に水張りすることが可能である。
【００２７】
この暖房・給湯・追焚装置２には、図１に示すように、貯湯タンク４と、太陽熱の集熱回路６と、温水ＨＭ１を循環させる循環路８とが備えられている。
【００２８】
貯湯タンク４は、第１の熱媒体として温水ＨＭ１を溜める貯留手段の一例であるとともに、温水ＨＭ１を以て蓄熱する蓄熱手段の一例でもある。この貯湯タンク４には、温水ＨＭ１の水位確認手段として水位確認タンク５が連通管路７により接続され、水位確認タンク５及び貯湯タンク４は通気管１１で連結され大気に開放されている。そして、水位確認タンク５には水位センサ９が設置されている。貯湯タンク４の温水ＨＭ１は連通管路７を通じて水位確認タンク５に流れ込み、水位確認タンク５内の水位は貯湯タンク４の温水ＨＭ１の水位と同一レベルを呈する。従って、水位センサ９には貯湯タンク４の温水ＨＭ１のレベルを表す出力が得られる。
【００２９】
この水位確認タンク５には補給水を流し込む補給管路１３が接続され、この補給管路１３は上水管路に接続されている。この補給管路１３には補給水閉止弁１５及び補給水電磁弁１７が設置されている。補給水閉止弁１５は常時開放され、補給水は補給水電磁弁１７によって供給が制御される。補給水には上水Ｗが用いられる。
【００３０】
集熱回路６は、太陽熱を熱源とする集熱手段の一例であって、第２の熱媒体として温水ＨＭ２を循環させ、太陽熱を温水ＨＭ１に熱交換する手段の一例である。この集熱回路６には、集熱パネル１０、熱交換部としての太陽熱用熱交換器１２、集熱ポンプ１４、ソーラー切替弁１６、バイパス路１８が備えられている。集熱パネル１０は、太陽熱を集熱し、その熱を温水ＨＭ２に熱交換する熱交換手段の一例である。集熱パネル１０に代え、燃焼熱や排熱を利用した熱源を用いてもよい。太陽熱用熱交換器１２は、温水ＨＭ２の熱を温水ＨＭ１に熱交換する手段の一例である。集熱ポンプ１４は、温水ＨＭ２に太陽熱を熱交換する際や、温水ＨＭ２を温水ＨＭ１に熱交換する際に用いられる温水圧送手段の一例である。バイパス路１８はソーラー切替弁１６を介して集熱回路６を分岐させ、太陽熱用熱交換器１２の側路であって、温水ＨＭ２の温度が低い場合に温水ＨＭ２を循環させる。集熱パネル１０の入側には温度センサ２０、集熱パネル１０の出側には温度センサ２２が設置され、温度センサ２０の検出温度Ｔ１が太陽熱用熱交換器１２による温水ＨＭ２の熱交換前の温度、温度センサ２２の検出温度Ｔ２が熱交換後の温水ＨＭ２の温度であり、これらの検出温度Ｔ１、Ｔ２がソーラー切替弁１６の切替えによるバイパス路１８の開閉や集熱ポンプ１４の制御に用いられる。
【００３１】
循環路８は、分流路２４と、循環ポンプ２６と、温水ＨＭ１を加熱するための一次熱交換器２８と、二次熱交換器３０とを備えている。この循環路８には、温水ＨＭ１の熱を利用する手段として低温暖房回路３２、高温暖房回路３４、給湯回路３６、追焚回路３８が接続されている。
【００３２】
分流路２４は、貯湯タンク４の入側と出側との間の循環路８に連結された管路であって、温水ＨＭ１を分流して貯湯タンク４の出側の温水ＨＭ１に合流させる手段の一例である。
【００３３】
循環路８と分流路２４との分岐点には貯湯タンク切替弁４０が設置され、この貯湯タンク切替弁４０は、貯湯タンク４側に流れる温水流量と、分流路２４に流れる温水流量とに分配する流量分配手段の一例である。貯湯タンク切替弁４０の入側の循環路８には温度センサ４２、貯湯タンク４の入側の循環路８にはタンク開閉弁４３、貯湯タンク４の出側近傍には温度センサ４４が設置されている。タンク開閉弁４３は、循環路８を貯湯タンク４の入側で開閉する手段である。温度センサ４２、４４の検出温度Ｔ３、Ｔ４は貯湯タンク４側に流れる温水流量と、分流路２４に流れる温水流量との分配比率の設定や制御に用いられる。温度センサ４４は熱媒である温水ＨＭ１の温度を検出する第１の温度センサ、温度センサ４２は負荷側から循環路８に戻る温水ＨＭ１の温度を検出する第２の温度センサである。貯湯タンク４の出側の循環路８と分流路２４との合流点には気液分離部４５が設置されている。気液分離部４５は、温水ＨＭ１から空気を分離する手段である。
【００３４】
循環ポンプ２６は、温水ＨＭ１の圧送手段の一例であって、温水ＨＭ１の熱利用や一次及び二次熱交換器２８、３０による加熱の際等に駆動され、循環路８に温水ＨＭ１を循環させる。
【００３５】
一次熱交換器２８は、燃料ガスの燃焼手段の一例として設置されたバーナ４６の燃焼排気から主として顕熱を温水ＨＭ１に熱交換する第１の熱交換手段である。二次熱交換器３０は、バーナ４６の燃焼排気から主として潜熱を温水ＨＭ１に熱交換する第２の熱交換手段であって、温水ＨＭ１の予備加熱に用いられる。一次熱交換器２８の出側の循環路８には温度センサ４８、二次熱交換器３０の出側の循環路８には温度センサ５０が設置され、これらの検出温度Ｔ５、Ｔ６がバーナ４６の燃焼制御に用いられる。
【００３６】
低温暖房回路３２は、循環路８の二次熱交換器３０の出側と貯湯タンク切替弁４０の入側とから分岐され、低温暖房器５２に低温側の温水ＨＭ１を循環させる管路である。低温暖房器５２は、温水ＨＭ１の第１の放熱負荷又は放熱手段の一例であって、例えば、床暖房器である。
【００３７】
高温暖房回路３４は、循環路８の一次熱交換器２８の出側と貯湯タンク切替弁４０の入側とから分岐され、高温暖房器５４に高温側の温水ＨＭ１を循環させる管路である。高温暖房器５４は、温水ＨＭ１の第２の放熱負荷又は放熱手段の一例であって、例えば、温風暖房器である。
【００３８】
給湯回路３６は給水Ｗを温水ＨＭ１で加熱して温水ＨＷとして出湯する管路であって、この実施の形態では、給湯用熱交換器５６と、二次熱交換器５８と、バイパス路６０とを備える。
【００３９】
給湯用熱交換器５６は、温水ＨＭ１の熱を給水Ｗに熱交換する給湯用熱交換手段の一例であって、給湯用熱交換器５６には例えば、プレート熱交換器が用いられる。この給湯用熱交換器５６には、給水側に上水圧が作用している。この給湯用熱交換器５６は、循環路８に高温分配弁６２を介して分岐された循環路８Ａに設置され、循環路８Ａを通して温水ＨＭ１が循環する。この給湯用熱交換器５６に穿孔による水漏れが生じた場合には、上水圧が温水ＨＭ１の圧力に打ち勝ち、上水が温水ＨＭ１側に侵入し、貯湯タンク４の水位を上昇させることになる。
【００４０】
二次熱交換器５８は、既述のバーナ４６の燃焼排気から主として潜熱を給水Ｗに熱交換する手段であって、給水Ｗが常温の上水であれば、効率よく潜熱を給水Ｗに熱交換することができる。この予備加熱された給水Ｗには、給湯用熱交換器５６により温水ＨＭ１の熱が熱交換され、高温の温水ＨＷが得られる。バイパス路６０は、この温水ＨＷに上水Ｗをミキシングする手段であって、図示しないミキシング弁を用いて高温の温水ＨＷを適温化することができる。給湯回路３６の上水Ｗの入側には温度センサ６４、温水ＨＷの出湯側には温度センサ６６が設置され、これらの検出温度Ｔ７、Ｔ８等が出湯温度の制御としてバーナ４６の燃焼制御やバイパス路６０側への給水Ｗとのミキシング比率の制御に用いられる。
【００４１】
追焚回路３８は、温水ＨＭ１の熱を浴槽６８にある浴槽水ＢＷに熱交換し、浴槽水ＢＷを入浴に適する温度に昇温する手段の一例である。この追焚回路３８は追焚用熱交換器７０と、追焚ポンプ７２とを備える。追焚用熱交換器７０は、温水ＨＭ１の熱を浴槽水ＢＷに熱交換する熱交換手段の一例であって、循環路８に高温分配弁６２を介して分岐された循環路８Ｂに設置され、循環路８Ｂを通して温水ＨＭ１が循環する。追焚ポンプ７２は、追焚時、浴槽水ＢＷを浴槽６８から追焚用熱交換器７０を通して浴槽６８に循環させる手段である。追焚回路３８の浴槽６８の出側には温度センサ７４が設置され、その検出温度Ｔ９が追焚制御に用いられる。
【００４２】
この追焚回路３８と給湯回路３６との間には注湯回路７６が接続され、この注湯回路７６は、注湯電磁弁７８を介して給湯回路３６と追焚回路３８とを連結している。注湯電磁弁７８は、上水Ｗ側と浴槽水ＢＷとを絶縁（分離）する手段の一例である。
【００４３】
また、注湯回路７６と循環路８との間には補水回路７９が接続されている。この補水回路７９は補給管路１３とは別個に設置され、貯湯タンク４に上水Ｗを供給する手段の一例である。この補水回路７９は、一端を補水切替弁８１を介して注湯回路７６に接続し、他端を貯湯タンク切替弁４０とタンク開閉弁４３との間にある循環路８に接続している。補水切替弁８１は、管路の切替手段の一例であって、例えば、手動切替弁で構成される。注湯電磁弁７８は注湯量センサ９３及び逆止弁９５（図２）等を備えてもよい。斯かる構成では、上水Ｗを、給湯回路３６の二次熱交換器５８、給湯用熱交換器５６及び注湯回路７６に流すとともに、注湯電磁弁７８を開き、補水切替弁８１を切り替えることにより、補水回路７９及び循環路８から貯湯タンク４に流し込むことができる。即ち、貯湯タンク４の水張りの高速化が図られる。この場合、補水回路７９を通して貯湯タンク４に水張りする際、補水切替弁８１が追焚回路３８への給水を遮断する手段となる。
【００４４】
そして、循環路８の設置エリアには温度センサ８０が設置され、この温度センサ８０によって外気温度Ｔ１０が検出される。
【００４５】
これら検出温度Ｔ１〜Ｔ１０は制御情報として制御装置８２（図４）に取り込まれ、集熱ポンプ１４、循環ポンプ２６、追焚ポンプ７２の駆動やバーナ４６の燃焼が制御装置８２（図４）の駆動出力によって制御される。  
【００４６】
次に、貯湯タンク４、水位確認タンク５、集熱回路６及び補水回路７９について、図２を参照する。図２は貯湯タンク、水位確認タンク及び集熱回路の詳細を示している。図２において、図１と同一部分には同一符号を付してある。
【００４７】
貯湯タンク４の出側には循環路８の近傍に温度センサ４４が設置され、出側の温水ＨＭ１の温度が温度センサ４４で検出される。この実施の形態の場合、太陽熱用熱交換器１２の近傍にも温度センサ４９が設置されている。この温度センサ４９で熱交換温度が検出される。
【００４８】
集熱回路６には、プレッシャータンク２１及びリザーブタンク２３が備えられている。プレッシャータンク２１は集熱回路６に流れる温水ＨＭ２の圧力緩衝であるとともに、リザーブタンク２３と連結部２５により結合されている。この連結部２５を通じ、集熱回路６から温水ＨＭ２をリザーブタンク２３側に逃し、温水ＨＭ２が不足すれば、リザーブタンク２３にあるリザーブ水Ｗをプレッシャータンク２１に引き込み、集熱回路６に補給する。
【００４９】
補水回路７９は、循環路８から分岐され、注湯回路７６と追焚回路３８の管路との間に形成されている。この場合、注湯電磁弁７８には、注湯量センサ９３及び逆止弁９５が一体に形成され、開閉弁８３及びふろ水流スイッチ８５が追焚回路３８に設置されている。ふろ水流スイッチ８５は、流水を検出する流水検出手段の一例である。
【００５０】
次に、水位確認タンク５のレベル検出について、図３を参照する。図３は水位確認タンク及び水位センサの一例を示している。図３において、図１及び図２と同一部分には同一符号を付してある。
【００５１】
水位確認タンク５には、底部に連通管路７、天井部に補給管路１３及び通気管１１が接続されているとともに、オーバーフローパイプ１９が接続されている。オーバーフローパイプ１９は、水位確認タンク５の温水ＨＭ１の上限レベルＵＬに設定され、温水ＨＭ１が上限レベルＵＬを超えた際に温水ＨＭ１を流出させる。
【００５２】
水位確認タンク５は連通管路７により貯湯タンク４の温水ＨＭ１と通じるとともに、通気管１１により外気に通じているので、水位確認タンク５の温水ＨＭ１は貯湯タンク４と同一レベルを呈する。
【００５３】
水位確認タンク５には補給水電磁弁１７を開けば、補給管路１３を通じて補給水が供給され、この補給水は水位確認タンク５から連通管路７を通じて貯湯タンク４に補給される。これにより、貯湯タンク４には温水ＨＭ１の不足分を補うことができる。
【００５４】
そこで、水位確認タンク５に設置された水位センサ９は、検出電極９Ａ、９Ｂ、９Ｃ及び共通電極９Ｄを備えている。検出電極９Ａは低レベルＬＬを検出する電極、検出電極９Ｂは高レベルＨＬを検出する電極、検出電極９Ｃは上限レベルＵＬを検出する電極である。この場合、共通電極９Ｄは水位確認タンク５の底面に設置しているが、水位確認タンク５や連通管路７を良導体で構成した場合には、水位確認タンク５又は連通管路７の何れの位置に設置してもよい。
【００５５】
斯かる構成により、検出電極９Ａ、９Ｂ、９Ｃと共通電極９Ｄに接触することにより水位を検出することができ、温水ＨＭ１が検出電極９Ａのみに触れる範囲にあれば低レベルＬＬ、検出電極９Ａ、９Ｂに触れる範囲にあれば高レベルＨＬ、検出電極９Ａ、９Ｂ、９Ｃに触れる範囲にあれば上限レベルＵＬを検出できる。
【００５６】
そこで、温水ＨＭ１が低レベルＬＬを下回ると、補給モードとなり、補給水電磁弁１７を開いて上水Ｗが温水ＨＭ１が高レベルＨＬに到達するまで補給される。通常状態では、温水ＨＭ１が低レベルＬＬから高レベルＨＬの範囲に制御される。
【００５７】
また、温水ＨＭ１が上限レベルＵＬに到達すると、水位センサ９の上限レベルＵＬの検出出力により、異常レベルと判定する。この判定動作は制御装置８２のＣＰＵ８４（図４）等により実行される。
【００５８】
次に、制御装置８２について、図４を参照する。図４は制御装置の一例を示している。図４に示す構成は一例であって、斯かる構成に本発明が限定されるものではない。図４において、図１、図２、図３と同一部分には同一符号を付してある。
【００５９】
この制御装置８２は、制御手段の一例であって、コンピュータによって構成されており、ＣＰＵ（Central Processing Unit ）８４、ＲＯＭ（Read-Only Memory）８６、ＲＡＭ（Random-Access Memory）８８、タイマ９０、注湯量カウンタ９２等を備える。ＣＰＵ８４はＲＯＭ８６にある制御プログラムを実行し、検出温度等を制御情報に用いてその演算等の処理により、制御出力を発生する。ＲＡＭ８８はプログラムの実行エリアを構成する。タイマ９０は計時手段の一例であって、レベル検出時間帯、レベル検出の間隔等の時間制御のための時間情報を生成する。注湯量カウンタ９２は、計数可能な検出情報を計数し、また、アナログ情報であってもディジタル化された情報を計数する。
【００６０】
この制御装置８２には、リモコン装置９４が有線又は無線により接続されている。リモコン装置９４は、ユーザの操作装置であって、制御部９６と、操作部９８と、表示部１００とを備え、ユーザの生活エリアに設置される。
【００６１】
制御部９６は、操作部９８からの操作入力を受け、その操作能力に基づく制御情報を制御装置８２に通知する。操作部９８はキーボードやタッチセンサ等で構成される。制御部９６はコンピュータによって構成されており、ＣＰＵ１０２、ＲＯＭ１０４、ＲＡＭ１０６等を備える。ＣＰＵ１０２はＲＯＭ１０４にある制御プログラムを実行し、制御出力を発生する。ＲＡＭ１０６はプログラムの実行エリアを構成する。この制御部９６は制御装置８２と連係し、制御装置８２に対する制御命令を出力し、制御装置８２からの出力情報を受け、制御状態等を表す提示出力が表示部１００に出力される。
【００６２】
表示部１００は制御部９６の表示制御に基づき、制御部９６から提供される提示出力に基づく視認可能な表示を行う。
【００６３】
次に、この暖房・給湯・追焚装置２について、貯湯タンク４の水張り動作、貯湯タンク４の温水ＨＭ１を利用する低温暖房動作、高温暖房動作、給湯動作、浴槽注湯動作、浴槽水追焚動作を説明し、温水ＨＭ１を加熱のための集熱動作を説明する。
【００６４】
(1) 水張り動作
【００６５】
貯湯タンク４の水張り動作の処理手順について、図５、図６、図７、図８、図９及び図１０を参照する。図５〜図９は水張り動作の処理手順の一例を示し、図１０は水張り動作を示している。図５〜図９において、ａ、ｂ、ｃ、ｄ、ｅ、ｆ及びｇはフローチャート間の結合部分を示している。
【００６６】
この処理手順には、本発明の水張り制御方法の一例であって、タンク水張り動作開始処理Ｆ１、急速補水終了判断処理Ｆ２、急速補水終了処理Ｆ３、補水切替弁切替忘れチェック処理Ｆ４、タンク水張り動作終了判断処理Ｆ５、通常補水処理Ｆ６、タンク水張り異常終了処理Ｆ７及びタンク水張り正常終了処理Ｆ８を含んでいる。
【００６７】
電源投入の後、タンク水張りスイッチ８７がＯＮか否かを監視し（ステップＳ１０１）、タンク水張りスイッチ８７がＯＮすれば（ステップＳ１０１のＹＥＳ）、タンク水張り動作開始処理Ｆ１が実行される。なお、タンク水張りを行う際は、事前に補水切替弁８１（手動）を補水回路７９側に切り替える必要がある。
【００６８】
タンク水張り動作開始処理Ｆ１では、タンク水張り動作の開始により、急速水張りスイッチ９１が導通してタンク水張り表示部８９が点滅し（ステップＳ１０２）、急速水張り動作の開始を表示する。この場合、タンク開閉弁４３を開にした後（ステップＳ１０３）、貯湯タンク切替弁４０をタンク側に開き（ステップＳ１０４）、水位センサ９の検出水位の判定処理として検出電極９Ｂ（ＨＬ）がＯＦＦかを判定する（ステップＳ１０５）。水位センサ９の検出水位が高レベルＨＬを検出していれば即ち、検出電極９Ｂ（ＨＬ）がＯＦＦでなければ（ステップＳ１０５のＮＯ）、高速水張りは不要となり、タンク水張り表示部８９を点灯させ（ステップＳ１０６）、補給管路１３側からの補水を行えばよい。
【００６９】
水位センサ９が高レベルＨＬを検出していなければ即ち、検出電極９Ｂ（ＨＬ）がＯＦＦであれば（ステップＳ１０５のＹＥＳ）、高速水張りが必要であるから、開閉弁８３を閉じ（ステップＳ１０７）、注湯量カウンタ９２をクリアし（ステップＳ１０８）、注湯電磁弁７８を開にする（ステップＳ１０９）。この場合、ふろ水流スイッチ８５で補水切替弁８１の異常検出又は補水切替弁８１が補水回路７９側に切り替えられたか否かを検出するため、片搬送とし、例えば、規制流量１４〔リットル〕の注湯を行う。また、開閉弁８３を閉じてから注湯電磁弁７８を開く。
【００７０】
急速補水終了判断処理Ｆ２では、ふろ水流スイッチ８５のＯＮ／ＯＦＦが監視され（ステップＳ１１０）、水流がなければ、ふろ水流スイッチ８５がＯＦＦし（ステップＳ１１０のＹＥＳ）、水位センサ９が検出水位の判定処理として検出電極９Ｂ（ＨＬ）がＯＮかを判定する（ステップＳ１１１）。この場合、水張り開始時から水位センサ９が高レベルＨＬを検出していれば、注湯電磁弁７８が閉（ＯＦＦ）から所定時間例えば、５〔分〕経過していることとする。そして、水位センサ９の検出レベルの確認で、水位センサ９が高レベルＨＬを検出していれば（ステップＳ１１１のＹＥＳ）、貯湯タンク４の水位が適正水位になっているので、急速補水終了処理Ｆ３に移行する。即ち、この場合、注湯電磁弁７８を閉じ（ステップＳ１１２）、タンク水張り表示部８９を点灯させ（ステップＳ１１３）、急速補水終了を表示する。
【００７１】
ふろ水流スイッチ８５がＯＦＦしていない場合には（ステップＳ１１０のＮＯ）、補水切替弁８１の異常と判断し（ステップＳ１１４）、注湯電磁弁７８を閉じ（ステップＳ１１５）、タンク水張り表示部８９を点灯させる（ステップＳ１１６）。
【００７２】
また、水位センサ９の検出レベルの確認で（ステップＳ１１１）、水位センサ９が高レベルＨＬでなければ（ステップＳ１１１のＮＯ）、所定注湯量例えば、２１０〔リットル〕を注湯したか否かを確認し（ステップＳ１１７）、２１０〔リットル〕を注湯していない場合には（ステップＳ１１７のＮＯ）、ステップＳ１１０に戻る。この注湯量は注湯量センサ９３の検出値で確認する。
【００７３】
２１０〔リットル〕を注湯していれば（ステップＳ１１７のＹＥＳ）、それに応じた水位が得られていないので、タンク水張り異常（ステップＳ１１８）とし、注湯電磁弁７８を閉じ（ステップＳ１１９）、タンク水張り表示部８９を点灯し、補水終了を告知する（ステップＳ１２０）。
【００７４】
この状態で、タンク水張りスイッチ８７の操作が監視され（ステップＳ１２１）、タンク水張りスイッチ８７の操作がなければ（ステップＳ１２１のＹＥＳ）、補水切替弁切替忘れチェック処理Ｆ４に移行する。このチェック処理Ｆ４では、補水切替弁８１のチェック終了前かを判定し（ステップＳ１２２）、補水切替弁８１のチェック終了前であれば（ステップＳ１２２のＹＥＳ）、急速補水終了から所定時間例えば、９〔分〕３０〔秒〕経過したかを確認する（ステップＳ１２３）。急速補水終了から９〔分〕３０〔秒〕が経過していれば（ステップＳ１２３のＹＥＳ）、注湯電磁弁７８を開き（ステップＳ１２４）、ふろ水流スイッチ８５がＯＮしているかを確認し（ステップＳ１２５）、ふろ水流スイッチ８５がＯＮしていれば（ステップＳ１２５のＹＥＳ）、連続した一定時間として例えば、５〔秒〕経過したかを確認する（ステップＳ１２６）。
【００７５】
連続した５〔秒〕の経過の後（ステップＳ１２６のＹＥＳ）、注湯電磁弁７８を閉じ（ステップＳ１２７）、補水切替弁８１のチェックを終了する（ステップＳ１２８）。
【００７６】
ふろ水流スイッチ８５がＯＮしていない場合（ステップＳ１２５のＮＯ）であって、連続した５〔秒〕が経過していない場合（ステップＳ１２６のＮＯ）には、チェック開始から所定時間例えば、２０〔秒〕が経過したかを確認し（ステップＳ１２９）、チェック開始から２０〔秒〕が経過していれば（ステップＳ１２９のＹＥＳ）、注湯電磁弁７８を閉じ（ステップＳ１３０）、タンク水張り異常（ステップＳ１３１）となる。
【００７７】
また、タンク水張り動作終了判断処理Ｆ５では、急速補水終了から所定時間として、例えば、１０〔分〕経過前かを判断し（ステップＳ１３２）、例えば、１０〔分間〕の注湯でも水位センサ９の高レベルＨＬにならなければ、タンク水張り異常終了処理Ｆ７に移行する。
【００７８】
急速補水終了から１０〔分〕経過前（ステップＳ１３２のＹＥＳ）であれば、通常補水処理Ｆ６に移行する。この通常補水処理では、水位センサ９の検出水位の判定処理として高レベルＨＬを検出しているか即ち、検出電極９Ｂ（ＨＬ）がＯＮかを判断し（ステップＳ１３３）、高レベルＨＬの検出即ち、検出電極９ＢがＯＮしていれば（ステップＳ１３３のＹＥＳ）、補給水電磁弁１７を閉じる（ステップＳ１３４）。この状態からポンプＯＮタイミングを確認し（ステップＳ１３５）、ポンプＯＮタイミングが到来すれば（ステップＳ１３５のＹＥＳ）、循環ポンプ２６を動作させ（ステップＳ１３６）、ステップＳ１２１（図７）に戻る。
【００７９】
ステップＳ１３３において、水位センサ９が高レベルＨＬを検出していなければ即ち、検出電極９Ｂ（ＨＬ）がＯＮでなければ（ステップＳ１３３のＮＯ）、補給水電磁弁１７を開き（ステップＳ１３７）、水位センサ９の検出水位の判定処理として高レベルＨＬを検出しているか即ち、検出電極９Ａ（ＬＬ）がＯＦＦかを判断し（ステップＳ１３８）、低レベルＬＬを検出していなければ即ち、検出電極９Ａ（ＬＬ）がＯＦＦであれば（ステップＳ１３８のＹＥＳ）、循環ポンプ２６をＯＦＦし（ステップＳ１３９）、ステップＳ１２１（図７）に戻る。また、低レベルＬＬを検出していれば即ち、検出電極９Ａ（ＬＬ）がＯＦＦでなければ（ステップＳ１３８のＮＯ）、ステップＳ１２１（図７）に戻る。
【００８０】
タンク水張り動作終了判断処理Ｆ５で、急速補水終了から１０〔分〕経過した場合（ステップＳ１３２のＮＯ）、水位センサ９が高レベルＨＬでないか即ち、検出電極９Ｂ（ＨＬ）がＯＦＦかを確認する（ステップＳ１４０）。水位センサ９が高レベルＨＬを検出していなければ（ステップＳ１４０のＹＥＳ）、タンク水張り異常終了処理Ｆ７に移行する。また、水位センサ９が高レベルＨＬを検出していれば即ち、検出電極９Ｂ（ＨＬ）がＯＦＦでなければ（ステップＳ１４０のＮＯ）、その水張り完了記憶を行い（ステップＳ１４１）、タンク水張り正常終了処理Ｆ８に移行する。この場合、水位センサ９の高レベルＨＬの判断は、検出電極９Ｂが連続する一定時間として例えば、１０〔秒〕間の連続ＯＮしたか否かを判断基準とする。
【００８１】
タンク水張り異常終了処理Ｆ７では、補給水電磁弁１７を開き（ステップＳ１４２）、循環ポンプ２６の動作（ステップＳ１４３）の後、積算時間として例えば、５〔分〕経過を監視し（ステップＳ１４４）、５〔分〕が経過するまで、ステップＳ１４０、Ｓ１４２、Ｓ１４３、Ｓ１４４を実行し、積算時間として５〔分〕が経過すれば（ステップＳ１４４のＹＥＳ）、水張り異常とし（ステップＳ１４５）、補給水電磁弁１７を閉（ステップＳ１４６）、循環ポンプ２６をＯＦＦとし（ステップＳ１４７）、開閉弁８３を開き（ステップＳ１４８）、タンク水張り異常終了となる。
【００８２】
タンク水張り正常終了処理Ｆ８では、補給水電磁弁１７を閉じ（ステップＳ１４９）、循環ポンプ２６をＯＦＦし（ステップＳ１５０）、タンク水張り表示部８９を消灯し（ステップＳ１５１）、開閉弁８３を開き（ステップＳ１５２）、タンク水張りを終了する。
【００８３】
以上述べた手順により、図１０に示すように、水張り動作が実行される。
【００８４】
既述のポンプＯＮタイミングについて、図１１を参照すると、図１１はポンプＯＮタイミングの時間とポンプ動作のテーブルを示している。
【００８５】
このポンプＯＮタイミングテーブル１２４によれば、循環ポンプ２６は、２〔分〕間のポンプ動作と導通停止時間の段階的増加とを以て断続したポンプ動作が実行される。これにより、循環回路等のエアパージが行われる。
【００８６】
(2) 低温暖房動作
【００８７】
この低温暖房動作では、低温暖房器５２に循環させて低温化した温水ＨＭ１に貯湯タンク４にある高温の温水ＨＭ１を混合し、低温暖房器５２に要求温度の温水ＨＭ１を循環させる。
【００８８】
(3) 高温暖房動作
【００８９】
高温暖房器５４から運転信号が制御装置８２に入力されると、循環ポンプ２６の運転を開始する。温度センサ４２の検出温度Ｔ３と温度センサ４４の検出温度Ｔ４とを比較し、Ｔ４＞Ｔ３の場合、貯湯タンク切替弁４０を貯湯タンク４側を開状態にする。貯湯タンク４の温水ＨＭ１は、循環ポンプ２６から二次熱交換器３０、一次熱交換器２８に送り込まれる。一次熱交換器２８の出側にある温度センサ４８の検出温度Ｔ５が放熱暖房に適する一定温度として例えば、８０〔℃〕になるようにバーナ４６の燃焼を制御する。なお、貯湯タンク４の温水ＨＭ１が放熱暖房に適する一定温度である例えば、８０〔℃〕であれば、一次熱交換器２８による加熱は行わない。
【００９０】
高温化された温水ＨＭ１は、高温暖房器５４に流れ、放熱を行う。この場合、循環路８、高温分配弁６２に流れた温水ＨＭ１は循環路８Ａに分流されて給湯用熱交換器５６を通り、高温暖房器５４からの戻り温水ＨＭ１と合流し、貯湯タンク４に至る。この場合、循環路８Ａで形成された給湯用熱交換器５６の回路は高温暖房器５４が運転可能になるまでの循環回路及び給湯要求の際に即応可能な給湯用加熱路として使用される。
【００９１】
高温暖房器５４を通過して熱が奪われた温水ＨＭ１と、給湯用熱交換器５６からの戻り温水ＨＭ１とが混合されるが、この混合温水ＨＭ１は温度センサ４２で検出される。この温度センサ４２の検出温度Ｔ３は、貯湯タンク４の出側にある温度センサ４４の検出温度Ｔ４と比較される。Ｔ４＜Ｔ３であれば、貯湯タンク切替弁４０の開度は貯湯タンク４側から分流路２４側へ切り替えられ、貯湯タンク４の温水ＨＭ１の使用を停止する。即ち、温水ＨＭ１による蓄熱を行い、その節減を図る。
【００９２】
(4) 給湯動作
【００９３】
給水口から暖房・給湯・追焚装置２に入った給水Ｗは、温度センサ６４、水量センサ、水制御弁等を経てバイパス路６０の分岐点に至る。バイパス路６０側に流れる給水Ｗはミキシングのために温水ＨＷに混合される。また、二次熱交換器５８を経て給湯用熱交換器５６に流れた給水Ｗは、給湯用熱交換器５６で温水ＨＭ１の熱と熱交換が行われ、温水ＨＷとなってバイパス路６０の分岐点に設置されているミキシング弁を通過する。ミキシング弁の開度は、温度センサ６６の検出温度Ｔ８が設定温度になるように調整され、給湯用熱交換器５６により加熱された高温の温水ＨＷが給水Ｗと混合されて設定温度に調整され、出湯口から出湯される。
【００９４】
温水ＨＭ１の循環動作では、給湯回路３６にある水量センサが流水を感知すると、循環ポンプ２６が運転を開始する。温度センサ４２の検出温度Ｔ３と温度センサ４４の検出温度Ｔ４とが比較される。Ｔ４＞Ｔ３の場合には、貯湯タンク切替弁４０を貯湯タンク４側を開状態にする。貯湯タンク４の温水ＨＭ１は、循環ポンプ２６に吸い込まれ、二次熱交換器３０及び一次熱交換器２８に送り込まれる。これら一次熱交換器２８及び二次熱交換器３０を通過した温水ＨＭ１の温度は温度センサ４８で検出され、その検出温度Ｔ５が一定の温度として例えば、８０〔℃〕になるように、バーナ４６の燃焼制御が行われる。なお、貯湯タンク４の温水ＨＭ１がその一定温度である例えば、８０〔℃〕であれば、バーナ４６による加熱は行わない。
【００９５】
一定温度例えば、８０〔℃〕の温水ＨＭ１は給湯用熱交換器５６で給水Ｗ側との熱交換を行う。例えば、給湯能力を２４号とした場合、その熱量は４１．８６〔ｋＷ〕（３６，０００〔ｋｃａｌ／ｈ〕）である。貯湯タンク４の温水温度が８０〔℃〕で循環ポンプ２６の循環量が約１２〔リットル／ｍｉｎ〕であれば、貯湯タンク４に戻る温水ＨＭ１の温度が約３０〔℃〕で、貯湯タンク４の温水ＨＭ１の全てを給湯熱交換に使用したとすれば、貯湯タンク４内の温水温度は約３０〔℃〕となる。給湯号数が減少すれば、貯湯タンク４に戻る温水ＨＭ１の温度低下が少なく、貯湯タンク４の温水温度は、常に３０〔℃〕以上となる。
【００９６】
また、給湯用熱交換器５６で熱を奪われた温水ＨＭ１の検出温度Ｔ３と温度センサ４４の検出温度Ｔ４とを比較する。Ｔ４＜Ｔ３であれば、貯湯タンク切替弁４０を貯湯タンク４側から分流路２４側へ切り替え、貯湯タンク４の温水ＨＭ１を使用しない。これにより、貯湯タンク４の温水ＨＭ１の使用による熱損失が抑制される。
【００９７】
(5) 浴槽注湯動作
【００９８】
給湯時、注湯電磁弁７８を開くと、給湯回路３６が追焚回路３８に連結され、給湯回路３６から分岐された注湯回路７６に流れる温水ＨＷが追焚用熱交換器７０を経て浴槽６８に注湯される。この場合、追焚ポンプ７２は使用しない。給水Ｗが上水であれば、十分な水圧があるので、温水ＨＷはその水圧を利用して浴槽６８に注湯される。
【００９９】
(6) 浴槽水追焚動作
【０１００】
リモコン装置９４から追焚運転信号が制御装置８２に入力されると、追焚ポンプ７２の運転を開始させる。これにより、浴槽水ＢＷは、追焚回路３８に循環され、追焚用熱交換器７０で温水ＨＭ１の熱が熱交換され、加熱される。温度センサ７４の検出温度Ｔ９が設定温度に達すれば、追焚運転を終了し、追焚ポンプ７２の運転を停止させる。
【０１０１】
この場合、追焚運転信号が制御装置８２に入力されると、循環ポンプ２６の運転を開始する。温度センサ４２の検出温度Ｔ３と温度センサ４４の検出温度Ｔ４とが比較され、Ｔ４＞Ｔ３であれば、貯湯タンク切替弁４０を貯湯タンク４側に切り替える。貯湯タンク４の温水ＨＭ１は、循環ポンプ２６に吸い込まれ、二次熱交換器３０及び一次熱交換器２８に送り込まれる。これら一次熱交換器２８及び二次熱交換器３０を通過した温水ＨＭ１の温度は温度センサ４８で検出され、その検出温度Ｔ５が一定の温度として例えば、８０〔℃〕になるように、バーナ４６の燃焼制御が行われる。なお、貯湯タンク４の温水ＨＭ１がその一定温度である例えば、８０〔℃〕であれば、バーナ４６による加熱は行わない。
【０１０２】
高温分配弁６２を循環路８Ｂ側にも開き、循環路８Ｂ側に温水ＨＭ１を流し、追焚回路３８と循環路８Ｂとの間で温水ＨＭ１の熱を浴槽水ＢＷに熱交換する。この場合、高温分配弁６２は給湯用熱交換器５６側にも温水ＨＭ１を流す。追焚用熱交換器７０で浴槽水ＢＷに熱を奪われた温水ＨＭ１は、循環路８Ａにある給湯用熱交換器５６を通過した温水ＨＭ１と合流し、貯湯タンク４に戻される。高温分配弁６２から給湯用熱交換器５６を通る循環路８Ａは、給湯要求の際に即応可能な給湯用回路として使用する。
【０１０３】
追焚用熱交換器７０で熱を奪われた温水ＨＭ１は、給湯用熱交換器５６を通過した温水ＨＭ１と混合され、その混合温水ＨＭ１の検出温度Ｔ３と検出温度Ｔ４とを比較し、Ｔ４＜Ｔ３であれば、貯湯タンク切替弁４０を貯湯タンク４側から分流路２４側へ切り替え、貯湯タンク４の温水ＨＭ１を使用しない。即ち、温水ＨＭ１による蓄熱を行い、その節減を図る。
【０１０４】
(7) 太陽熱集熱動作
【０１０５】
太陽熱による温水ＨＭ２の温度上昇は、日射量に関係し、その試験結果によれば、冬季でも約３０〔℃〕の上昇が期待できることが確認されている。季節にかかわらず、貯湯タンク４の温水温度は約３０〔℃〕であるため、太陽熱用熱媒である温水ＨＭ２と熱交換する太陽熱用熱交換器１２を備える貯湯タンク４では、冬期でも３０〔℃〕の温度上昇があり、貯湯タンク４の温水温度は３０〔℃〕＋３０〔℃〕で約６０〔℃〕に上昇させることができる。この場合、既述の低温暖房器５２の要求温度が例えば、６０〔℃〕であれば、貯湯タンク４に蓄えられた温水ＨＭ１の熱を低温暖房器５２の放熱に利用できる。夏期であれば、これ以上の熱利用ができることは勿論である。
【０１０６】
この集熱回路６に利用できる太陽熱について、季節により日の出、日の入り時刻が変わり、日射のある時間帯も変化する。季節（夏季・冬季・中間期）により集熱ポンプ１４の運転開始時刻及び停止時刻をリモコン装置９４を通して制御装置８２に設定する。季節の判断は、温度センサ８０の検出温度Ｔ１０を用いればよい。
【０１０７】
そこで、設定時刻が集熱ポンプ１４の運転開始時刻になると集熱ポンプ１４を運転する。温水ＨＭ２が集熱回路６に循環し、温度センサ２０が集熱パネル１０に入る温水ＨＭ２の温度を検出する。集熱パネル１０は温水ＨＭ２を太陽熱で加熱する手段であるから、日射があれば、集熱パネル１０を通過した温水ＨＭ２の検出温度Ｔ２が上昇する。そこで、Ｔ２＞Ｔ１であれば、太陽熱の集熱有りと判断し、集熱ポンプ１４の運転を継続する。これに対し、Ｔ２≦Ｔ１であれば、集熱パネル１０を通過した温水ＨＭ２の温度が低下したのであるから、太陽熱の集熱無しと判断し、集熱ポンプ１４の運転を停止し、集熱動作を終了する。
【０１０８】
この場合、集熱パネル１０においては温度上昇（Ｔ２＞Ｔ１）があれば、その検出温度Ｔ２が温度センサ４４の検出温度Ｔ４より低い場合（Ｔ２＜Ｔ４）には、貯湯タンク４の温水ＨＭ１の熱が温水ＨＭ２に奪われることになり、熱損失を来す。これを防止するため、ソーラー切替弁１６をバイパス路１８側に切り替えて循環させる。この循環は、Ｔ２＞Ｔ４になるまで継続し、Ｔ２＞Ｔ４になれば、ソーラー切替弁１６を太陽熱用熱交換器１２側に切り替え、温水ＨＭ２の熱を貯湯タンク４内の温水ＨＭ１に熱交換を行う。そして、設定時刻が集熱ポンプ１０の停止時刻になれば、集熱ポンプ１０の運転を停止する。
【０１０９】
この結果、太陽熱の集熱を温水ＨＭ２に行い、その温水ＨＭ２の熱を温水ＨＭ１に熱交換することにより、貯湯タンク４に温水ＨＭ１を通じて蓄熱することができる。
【０１１０】
上記実施の形態の利点や効果は以下の通りである。
【０１１１】
(1) このような太陽熱利用システムの貯湯タンクへの水張りにおいて、太陽熱を暖房にも使用するため、貯湯タンクを暖房回路に組み入れている。暖房回路は上水と縁切りされているため、水張りには補水電磁弁を用いて水張り事が一般的であるが、吐水量が少ないため、貯湯タンクを満たすには約９０〔分〕程度を要し、しかも、水張り中は次の動作確認もできないため、ただ待つだけである。このため、水張りで要する時間は、工事費に影響し、販売促進にも影響するが、このような課題は上記実施の形態で解決されている。
【０１１２】
(2) 水張りの時間短縮は、吐水量を多くすることが有効である。補水電磁弁の吐水量を多くする方法もあるが、吐水口空間の確保等、簡単にはいかない。上記実施の形態では、注湯回路を利用し、水張りを行う回路と制御を利用し、その迅速化を図っている。自動注湯は浴槽への湯張り回路であるため、注湯量は十分であり、縁切り装置も組み込まれている。その回路から貯湯タンク側への流路を設けることで貯湯時間の短縮が可能である。しかし、貯湯タンクへの水張りは機器購入時の施工だけ使う回路であり、まれにメンテナンスで貯湯タンク内の水を排水したときに使用するものであり、流路切替えの弁を電動にするには制御負荷、コストを考えると必要なく、手動弁で十分であるが、手動弁であるため、弁の切替え忘れが考えられる。そこで、水張り中に弁の切替チェックを行う制御を用いることで弁切替え忘れを報知する制御を行って、信頼性のある水張り制御を実現している。
【０１１３】
(3) 制御負荷を抑えて貯湯タンクへの水張り時間が短縮でき、誤操作の報知ができ、施工時の利便性を高めることができる。
【０１１４】
〔第２の実施の形態〕
【０１１５】
第２の実施の形態は、第１の実施の形態に示した補水切替弁を補水回路内に設置した構成である。
【０１１６】
図１２に示すように、注湯回路７６の注湯電磁弁７８の手前を分岐して補水回路７９の一端を接続し、この補水回路７９の他端も既述の循環路８の部分に接続してもよい。この場合、補水回路７９には補水回路７９の開閉手段として補水開閉弁９７を設置する。この補水開閉弁９７は、貯湯タンク４に補水する際に開に切り替える。補水開閉弁９７は既述の補水切替弁８１に相当するものである。上記実施の形態では、補水切替弁８１を手動切替えとしているが、制御部９６によって自動切替えにしてもよい。
【０１１７】
かかる構成としても、図１３に示すように、注湯回路７６からの給水を補水回路７９を通して補水することができる。
【０１１８】
この実施の形態によっても、上記実施の形態と同様に、短時間で貯湯タンク４に給水（又は補水）し、熱媒としての温水ＨＭ１を適正レベルに制御することができる。
【０１１９】
〔他の実施の形態〕
【０１２０】
(1) 上記実施の形態では、高温水分配式の暖房給湯用熱源機の暖房回路に集熱回路６を接続し、太陽熱を熱源に利用し、太陽熱との熱交換により得られた高温水を給湯、低温暖房にも利用しているが、本発明はこのような熱源に太陽熱を利用するものに限定されない。上記実施の形態は一例であって、太陽熱に代え燃焼熱やエンジンの排熱を熱源に用いてもよい。
【０１２１】
(2) 上記実施の形態では、熱媒体として温水ＨＭ１、ＨＭ２を利用したが、温水以外の熱媒流体を用いてもよい。
【０１２２】
(3) 上記実施の形態では、貯湯タンク４にある温水ＨＭ１の温度を検出する温度センサ４４を貯湯タンク４外の循環路８側に設置しているが、貯湯タンク４内に設置して温水ＨＭ１の温度を検出してもよい。
【０１２３】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１２４】
本発明は、太陽熱や燃焼熱を熱源に用いた給湯装置や、暖房・給湯・追焚装置等の熱源装置に広く利用できる。
【符号の説明】
【０１２５】
２  暖房・給湯・追焚装置
４  貯湯タンク
５  水位確認タンク
６  集熱回路
７  連通管路
８  循環路
９  水位センサ
１７  補給水電磁弁
２４  分流路
３２  低温暖房回路
４０  貯湯タンク切替弁
４２、４４  温度センサ
７６  注湯回路
７９  補水回路
８１  補水切替弁
９７  補水開閉弁
【図１】
0005606139.tif 000002
【図２】
0005606139.tif 000003
【図３】
0005606139.tif 000004
【図４】
0005606139.tif 000005
【図５】
0005606139.tif 000006
【図６】
0005606139.tif 000007
【図７】
0005606139.tif 000008
【図８】
0005606139.tif 000009
【図９】
0005606139.tif 000010
【図１０】
0005606139.tif 000011
【図１１】
0005606139.tif 000012
【図１２】
0005606139.tif 000013
【図１３】
0005606139.tif 000014